(57)【要約】      （修正有）【課題】ブラジャーのようなファンデーション等の衣料を、製造工程を簡略化して製造することができ、コストダウンが可能であるとともに、必要に応じて補正機能を備えた所望の三次元形状を有するファンデーション等の衣料を製造することを可能とする。【解決手段】人体の膨出部を含む領域を覆うように着用されるファンデーション等の衣料であって、人体の膨出部を覆う第一のパネル３と、前記人体膨出部の一部と当該膨出部に隣接する領域を覆う第二のパネル５と、人体膨出部に隣接する領域を覆う第三のパネル５を一体的に構成したパネル部材を備え、パネル部材として一体的に構成されたパネルには、製品としての仕上げ部を一部乃至全域に設けるとともに、人体の膨出部に対応した膨出部を含む必要領域を、同時に熱成型プレスによって三次元的な立体形状に形成した。【選択図】図１
2014058771.tif 000002
【特許請求の範囲】
【請求項１】
人体の膨出部を含む領域を覆うように着用されるファンデーション等の衣料であって、
前記人体の膨出部を覆う第一のパネルと、前記人体膨出部の一部と当該膨出部に隣接する領域を覆う第二のパネルと、前記人体膨出部に隣接する領域を覆う第三のパネルを一体的に構成し、最終的な製品形状に予め裁断されたパネル部材を備え、
前記パネル部材として一体的に構成されたパネルには、最終的な製品として仕上げるべく縫製又は接着を施すとともに、最終的な製品として備えるべき部材を設け、
前記最終的な製品形状に予め裁断され、かつ最終的な製品として備えるべき部材を設けた前記パネル部材の前記人体の膨出部に対応した膨出部を含む必要領域を、同時に熱成型プレスによって三次元的な立体形状に形成することで最終的な製品としたことを特徴とするファンデーション等の衣料。
【請求項２】
前記パネル部材は、その裏面側に裏当て部材を備えていることを特徴とする請求項１に記載のファンデーション等の衣料。
【請求項３】
前記パネル部材は、その裏面側に芯体が配設されていることを特徴とする請求項１又は２に記載のファンデーション等の衣料。
【請求項４】
前記パネル部材は、ファンデーション等の衣料を構成する基布と、前記ファンデーション等の衣料を構成する基布の表面側又は裏面側の少なくとも一方に積層される被覆層とを有し、熱成型プレス時に、前記基布は、所定のファンデーション等の衣料の製品形状に裁断されるとともに、前記被覆層は、三次元的な立体形状に形成されることを特徴とする請求項１乃至３のいずれかに記載のファンデーション等の衣料。
【請求項５】
前記被覆層は、基布の表面側及び裏面側の双方に予め塗布硬化された状態で積層されていることを特徴とする請求項４に記載のファンデーション等の衣料。
【請求項６】
前記基布は、レース地によって形成されていることを特徴とする請求項４又は５に記載のファンデーション等の衣料。
【請求項７】
前記被覆層は、伸縮性を有する熱硬化性樹脂からなることを特徴とする請求項４乃至６のいずれかに記載のファンデーション等の衣料。
【請求項８】
前記ファンデーション等の衣料は、硬度の高い熱硬化性樹脂を部分的に塗布し、モールド成形時に硬化させることによって構成された補正機能部を有することを特徴とする請求項４乃至７のいずれかに記載のファンデーション等の衣料。
【請求項９】
人体の膨出部を含む領域を覆うように着用されるファンデーション等の衣料の製造方法であって、
前記人体の膨出部を覆う第一のパネルと、前記人体膨出部の一部と当該膨出部に隣接する領域を覆う第二のパネルと、前記人体膨出部に隣接する領域を覆う第三のパネルを一体的に構成したパネル部材を形成する第１の工程と、
前記パネル部材として一体的に構成されたパネルに、製品としての仕上げ部を一部乃至全域に設ける第２の工程と、
前記人体の膨出部に対応した膨出部を含む必要領域を、同時に熱成型プレスによって三次元的な立体形状に形成する第３の工程とを備えたことを特徴とするファンデーション等の衣料の製造方法。
【発明の詳細な説明】
【技術分野】
【０００１】
この発明は、ブラジャーやガードル、スリップやショーツ、肌着等のインナ ー、ブラスリップ、更には、ドレス等のアウター、水着、リゾートウエア、ホームウエア、アンダーウエア等、又はトップとボトムが一体化されたボディスーツ、レオタード、ワンピースタイプのファンデーション等の衣料に関し、特に接着方式で無縫製により製造されるファンデーション等の衣料及びその製造方法に関するものである。
【背景技術】
【０００２】
【特許文献１】特開２００４−６０１０２号公報
【０００３】
従来、この種のブラジャーやガードル、スリップなどのファンデーション等の衣料は、表地や裏地等を構成する生地を、所定の形状及びサイズに裁断し、これらの表地や裏地等を縫製するとともに、必要に応じてカップ体を挟持した状態でモールド成形したり、ボーン体を内蔵することにより製造されている。
【０００４】
ところで、これら表地や裏地等を縫製することによって製造されるブラジャーやガードルなどのファンデーション等の衣料の場合には、表地や裏地等のエッジ部を位置合わせし、スパンテープ等の部材と一緒に縫製する必要があるため、製造工程が複雑であり、縫製等の作業を行なう作業者に、高い熟練度が要求され、製造コストが高くなるという問題点を有していた。
【０００５】
また、上記表地や裏地等を縫製することによって製造されるブラジャーやガードル、スリップなどのファンデーション等の衣料の場合には、表地や裏地等のエッジ部を位置合わせし、スパンテープ等の部材と一緒に縫製する必要があるため、エッジ部に位置する縫製部分が肉厚になったり、縫着によって剛性が高まり、人体を圧迫して着用感を損ねるという問題点を有していた。
【０００６】
特に、近年、若い女性などの間で、スリップなどのインナーに似たボディがリアルに判る薄地のトリコット地等の衣料を、アウターとして着用するが、このような場合ファンデーションのエッジが人体に段差を生み、逆にシルエットを悪くすると同時に、ファンデーションの着脱後当該エッジの痕跡を残すという問題点を有していた。
【０００７】
そこで、かかる問題点を解決し得る技術として、ファンデーション等の衣料を構成する表地や裏地等を縫製せずに、当該ファンデーション等の衣料を構成する表裏二枚の基布の片面に、ストレッチ性の高い樹脂をコーティングした後、これらの基布をモールド成形可能な大きさにカットし、表裏粗裁ちした二枚の基布をモールド成形機にセットして、身頃全体の接着を兼ねて熱成形し、製品形状に成形された基布を、レーザーカッターにセットし、必要形状に製品エッジをデザイン的に切り落とすとともに、別途作成された付属を超音波ミシン等によって取り付けるように構成した無縫製方式のものがある。
【０００８】
また、上述した問題点を解決し得る技術としては、ファンデーション等の衣料を構成する表地や裏地等を縫製せずに、当該ファンデーション等の衣料を構成する表裏二枚の基布の片面に、ストレッチ性の高い樹脂をコーティングした後、レーザーカッターにセットして、基布のエッジ部を最終的な製品の形状にカットし、その後にカップ部をモールド成形機にセットして、モールド成形するように構成したものがある。
【０００９】
しかしながら、前者の無縫製方式によって製造されるファンデーション等の衣料の場合には、単に、ファンデーション等の衣料を構成する表裏二枚の基布の片面に、ストレッチ性の高い樹脂をコーティングした後、これらの基布をモールド成形及びカットすることによって製造されるものであるため、ブラジャーやガードルなどのファンデーション等の衣料に本来求められるバストアップ等の補正機能や、装飾的な機能を発揮させることができず、需要者層が若い女性に限定されたり、十分な補正機能を発揮しつつ、ファンデーションとしての本来の美的かつ装飾的な機能を満足させることができないという問題点を有していた。
【００１０】
また、後者のファンデーション等の衣料の場合には、モールド成形機によってモールド成形する前に、基布のエッジ部を最終的な製品の形状にカットするものであるため、製品のエッジ部を波形状などの最終的な形状に形成できるものの、製品のエッジ部をカットした後に、モールド成形する必要があるため、カップ部と同一の工程で製造することができず、カップ部と身頃部を接着する工程が別に必要となったりして、製造工程が煩雑となり、コストアップを招くという問題点を有していた。
【００１１】
そこで、本出願人は、かかる問題点を解決するため、特開２００４−６０１０２号公報に開示された技術を既に提案している。
【００１２】
この特開２００４−６０１０２号公報に係るファンデーション等の衣料は、無縫製によって形成されるファンデーション等の衣料において、前記ファンデーション等の衣料の表地又は裏地の少なくとも一方を構成する素材であって予め製品の形状に裁断される基布と、前記基布に塗布硬化されて、当該基布の伸張率を一段階以上に設定する樹脂層とを有するように構成したものである。
【発明の概要】
【発明が解決しようとする課題】
【００１３】
しかしながら、上記従来技術の場合には、次のような問題点を有している。すなわち、上記特開２００４−６０１０２号公報に係るファンデーション等の衣料の場合には、当該ファンデーション等の衣料の表地又は裏地の少なくとも一方を構成する素材である基布を、予め製品の形状に裁断するように構成したものであるが、ブラジャー等の衣料を構成する基布として、表地及び裏地の双方を予め製品の形状に裁断したものを用い、当該予め製品の形状に裁断された基布を、モールド成形機によってモールド成形すると、成形時に予め製品の形状に裁断された基布のエッジ部が、モールド成形機の金型に巻き込まれるため、モールド成形によって最終的な製品形状に形成することができず、最後にエッジ部を製品形状にカットする裁断工程等が必要となり、製造工程を簡略化する上で限界があるという問題点を有していた。
【００１４】
更に説明すると、上記モールド成型機によって予め製品の形状に裁断された基布をモールド成型する際には、モールド成型機の金型が三次元であり、身頃部と一体であることは、これまでの二次元の金型と異なり膨出部の周辺に押さえ代が無く、平面状の基布は膨出工程において、凸型の圧力がそのまま身頃全体に作用し、身頃を引き込んでしまうという問題点を有していた。
【００１５】
そこで、この発明は、上記従来技術の問題点を解決するためになされたものであり、その目的とするところは、ブラジャーのようなファンデーション等の衣料を、製造工程を簡略化して製造することができ、コストダウンが可能であるとともに、必要に応じて補正機能を備えた所望の三次元形状を有するファンデーション等の衣料を製造することが可能なファンデーション等の衣料を提供することにある。
【課題を解決するための手段】
【００１６】
すなわち、請求項１に記載の発明は、人体の膨出部を含む領域を覆うように着用されるファンデーション等の衣料であって、
前記人体の膨出部を覆う第一のパネルと、前記人体膨出部の一部と当該膨出部に隣接する領域を覆う第二のパネルと、前記人体膨出部に隣接する領域を覆う第三のパネルを一体的に構成し、最終的な製品形状に予め裁断されたパネル部材を備え、
前記パネル部材として一体的に構成されたパネルには、最終的な製品として仕上げるべく縫製又は接着を施すとともに、最終的な製品として備えるべき部材を設け、
前記最終的な製品形状に予め裁断され、かつ最終的な製品として備えるべき部材を設けた前記パネル部材の前記人体の膨出部に対応した膨出部を含む必要領域を、同時に熱成型プレスによって三次元的な立体形状に形成することで最終的な製品としたことを特徴とするファンデーション等の衣料である。
本発明によれば、人体の膨出部を覆う第一のパネルと、前記人体膨出部の一部と当該膨出部に隣接する領域を覆う第二のパネルと、前記人体膨出部に隣接する領域を覆う第三のパネルを一体的に構成したパネル部材を備えることによって、資材の歩留まりを高め且つ一枚ずつカットするのではなく、数十枚を一度にカットすることができる。よって、製品デザインも幅広く対応が可能となる。さらに、パネルの多彩な組み合わせができ、一部乃至全部についての製品としての仕上げを先行して行なうことが可能となる。また、従来では膨出成型を先行しなければならなかったものを、最終工程にて膨出成型が可能となる。
【００１７】
また、請求項２に記載の発明は、前記パネル部材は、その裏面側に裏当て部材を備えていることを特徴とする請求項１に記載のファンデーション等の衣料である。
【００１８】
さらに、請求項３に記載の発明は、前記パネル部材は、その裏面側に芯体が配設されていることを特徴とする請求項１又は２に記載のファンデーション等の衣料である。
【００１９】
又、請求項４に記載の発明は、前記パネル部材は、ファンデーション等の衣料を構成する基布と、前記ファンデーション等の衣料を構成する基布の表面側又は裏面側の少なくとも一方に積層される被覆層とを有し、熱成型プレス時に、前記基布は、所定のファンデーション等の衣料の製品形状に裁断されるとともに、前記被覆層は、三次元的な立体形状に形成されることを特徴とする請求項１乃至３のいずれかに記載のファンデーション等の衣料である。
【００２０】
更に、請求項５に記載の発明は、前記被覆層は、基布の表面側及び裏面側の双方に予め塗布硬化された状態で積層されていることを特徴とする請求項４に記載のファンデーション等の衣料である。
【００２１】
また、請求項６に記載の発明は、前記基布は、レース地によって形成されていることを特徴とする請求項４又は５に記載のファンデーション等の衣料である。
【００２２】
さらに、請求項７に記載の発明は、前記被覆層は、伸縮性を有する熱硬化性樹脂からなることを特徴とする請求項４乃至６のいずれかに記載のファンデーション等の衣料である。
【００２３】
又、請求項８に記載の発明は、前記ファンデーション等の衣料は、硬度の高い熱硬化性樹脂を部分的に塗布し、モールド成形時に硬化させることによって構成された補正機能部を有することを特徴とする請求項４乃至７のいずれかに記載のファンデーション等の衣料である。
【００２４】
更に、請求項９に記載の発明は、人体の膨出部を含む領域を覆うように着用されるファンデーション等の衣料の製造方法であって、
前記人体の膨出部を覆う第一のパネルと、前記人体膨出部の一部と当該膨出部に隣接する領域を覆う第二のパネルと、前記人体膨出部に隣接する領域を覆う第三のパネルを一体的に構成したパネル部材を形成する第１の工程と、
前記パネル部材として一体的に構成されたパネルに、製品としての仕上げ部を一部乃至全域に設ける第２の工程と、
前記人体の膨出部に対応した膨出部を含む必要領域を、同時に熱成型プレスによって三次元的な立体形状に形成する第３の工程とを備えたことを特徴とするファンデーション等の衣料の製造方法である。
【発明の効果】
【００２５】
この発明によれば、これまでの二次元的なもの作りには創造されなかった体側部を含む人体の厚み（丸み）形状と体側部に視点を置いた三次元の力線の創造にあると共に、当該三次元的な膨出成型を、製品の略最終工程に置換する発想により、ブラジャー等の膨出部を形成するファンデーションや水着などを含むボディを強調する衣料のデザイン性を制約することがなく、且つ製造工程を簡略化して製造することができ、コストダウンが可能であるとともに、必要に応じて補正機能を備えた所望の三次元形状を有するファンデーション等の衣料を製造することが可能なファンデーション等の衣料を提供することができる。
【図面の簡単な説明】
【００２６】
【図１】図１はこの発明の実施の形態１に係るファンデーション等の衣料としてのブラジャーの要部を示す正面構成図である。
【図２】図２はこの発明の実施の形態１に係るファンデーション等の衣料としてのブラジャーの要部の異なった態様をそれぞれ示す断面構成図である。
【図３】図３はこの発明の実施の形態１に係るファンデーション等の衣料としてのブラジャーを示す正面構成図である。
【図４】図４はこの発明の実施の形態１に係るファンデーション等の衣料としてのブラジャーを示す背面構成図である。
【図５】図５はこの発明の実施の形態１に係るファンデーション等の衣料としてのブラジャーの要部を示す構成図である。
【図６】図６はこの発明の実施の形態１に係るファンデーション等の衣料としてのブラジャーの要部の異なった態様をそれぞれ示す断面構成図である。
【図７】図７はこの発明の実施の形態１に係るファンデーション等の衣料としてのブラジャーの要部を示す構成図である。
【図８】図８はこの発明の実施の形態１に係るファンデーション等の衣料としてのブラジャーの要部を示す構成図である。
【図９】図９はこの発明の実施の形態１に係るファンデーション等の衣料としてのブラジャーの要部を示す構成図である。
【図１０】図１０はこの発明の実施の形態１に係るファンデーション等の衣料としてのブラジャーの要部を示す構成図である。
【図１１】図１１はこの発明の実施の形態１に係るファンデーション等の衣料としてのブラジャーの要部を示す構成図である。
【図１２】図１２はこの発明の実施の形態２に係るファンデーション等の衣料としてのブラジャーの要部を示す構成図である。
【図１３】図１３はこの発明の実施の形態２に係るファンデーション等の衣料としてのブラジャーの要部を示す構成図である。
【図１４】図１４はこの発明の実施の形態２に係るファンデーション等の衣料としてのブラジャーの要部を示す構成図である。
【図１５】図１５はこの発明の実施の形態３に係るファンデーション等の衣料としてのブラジャーの要部を示す構成図である。
【図１６】図１６はこの発明の実施の形態３に係るファンデーション等の衣料としてのブラジャーをそれぞれ示す構成図である。
【図１７】図１７はこの発明の実施の形態３に係るファンデーション等の衣料としてのブラジャーを示す構成図である。
【図１８】図１８はこの発明の実施の形態４に係るファンデーション等の衣料としてのブラジャーの要部を示す構成図である。
【図１９】図１９はこの発明の実施の形態４に係るファンデーション等の衣料としてのブラジャーの他の要部を示す構成図である。
【図２０】図２０はこの発明の実施の形態５に係るファンデーション等の衣料としてのガードルの要部を示す構成図である。
【図２１】図２１はこの発明の実施の形態５に係るファンデーション等の衣料としてのガードルの素材を示す構成図である。
【図２２】図２２はこの発明の実施の形態６に係るファンデーション等の衣料としてのブラジャーの要部を示す構成図である。
【図２３】図２３はこの発明の実施の形態６に係るファンデーション等の衣料としてのブラジャーを示す構成図である。
【図２４】図２４はこの発明の実施の形態６に係るファンデーション等の衣料としてのブラジャーを示す構成図である。
【図２５】図２５はこの発明の実施の形態６に係るファンデーション等の衣料としてのブラジャーの要部を示す構成図である。
【図２６】図２６はこの発明の実施の形態６に係るファンデーション等の衣料としてのボディスーツを示す構成図である。
【図２７】図２７はこの発明の他の実施の形態に係るファンデーション等の衣料としてのブラジャーの製品例をそれぞれ示す構成図である。
【図２８】図２８はこの発明の他の実施の形態に係るファンデーション等の衣料としてのブラジャーの製品例をそれぞれ示す構成図である。
【図２９】図２９はこの発明の他の実施の形態に係るファンデーション等の衣料としてのブラジャーの製品例をそれぞれ示す構成図である。
【図３０】図３０はこの発明の他の実施の形態に係るファンデーション等の衣料としてのブラジャーの製品例をそれぞれ示す構成図である。
【発明を実施するための形態】
【００２７】
以下に、この発明の実施の形態について図面を参照して説明する。
実施の形態１
【００２８】
図３及び図４はこの発明の実施の形態１に係るファンデーション等の衣料としてのブラジャーを示すものである。
【００２９】
図３及び図４において、１はファンデーション等の衣料としてのブラジャーを示すものであり、このブラジャー１は、女性のバストをそれぞれ覆う左右のバストカップ部２、３と、当該左右のバストカップ部２、３の側方に設けられる身頃体４、５とを備えているが、これら左右のバストカップ部２、３及び身頃部４、５は、一体的に構成されている。上記左右のバストカップ部２、３は、人体の膨出部であるバストを覆う第一のパネルとして機能するものである。また、上記身頃部４、５は、人体の膨出部であるバストの一部と当該バストに隣接する領域を覆う第二のパネルと、バストに隣接する領域を覆う第三のパネルとして機能するものである。なお、上記左右のバストカップ部２、３の頂部近傍から人体の背面に位置する身頃体４、５にかけて、人体の肩に掛けるショルダーコード６、７が設けられている。
【００３０】
また、この実施の形態１に係るブラジャー１は、左右の身頃部４、５の背面側に設けられた図示しないフックやアイ等からなる連結具によって互いに連結されるように構成されている。ただし、上記ブラジャー１としては、左右の身頃部４、５の背面側にフックやアイ等からなる連結具を設けずに、これら左右の身頃部４、５を互いに縫着し、所謂タンクトップのように、頭の上方から被る状態で着用するように構成しても良い。
【００３１】
ところで、上記ブラジャー１は、人体の膨出部を含む領域を覆うように着用されるファンデーション等の衣料であって、前記人体の膨出部を覆う第一のパネルと、前記人体膨出部の一部と当該膨出部に隣接する領域を覆う第二のパネルと、前記人体膨出部に隣接する領域を覆う第三のパネルを一体的に構成したパネル部材を備え、前記パネル部材として一体的に構成されたパネルには、製品としての仕上げ部を一部乃至全域に設けるとともに、前記人体の膨出部に対応した膨出部を含む必要領域を、同時に熱成型プレスによって三次元的な立体形状に形成したものである。
【００３２】
すなわち、上記ブラジャー１は、図１に示すように、大別して、左右の主パネル部材８、９から構成されており、これら左右の主パネル部材８、９には、左右のバストカップ部２、３と身頃部４、５とが一体的に形成されている。なお、図１は、右側の主パネル部材９を示しており、左側の主パネル部材８は、右側の主パネル部材９と対称な形状に形成されている。つまり、左側の主パネル部材８には、左側のバストカップ部２と左側の身頃部４とが一体的に形成され、右側の主パネル部材９には、右側のバストカップ部３と右側の身頃部５とが一体的に形成されている。これら左右の主パネル部材８、９は、例えば、図２（ａ）に示すように、一枚の丸編等の素材１０によって形成されている。
【００３３】
上記左右の主パネル部材８、９は、図３に示すように、例えば、前面側の中央部の端縁８ａ、９ａが互いに縫着されているとともに、図４に示すように、背面側の中央部の端部８ｂ、９ｂにフックやアイ等の図示しない連結具が接着や縫着等の手段で取り付けられており、これら背面側中央部の端縁８ｂ、９ｂに設けられたフックやアイ等の図示しない連結具を介して着脱されるように構成される。また、上記左右の主パネル部材８、９は、例えば、背面側の中央部が互いに縫着されるとともに、前面側の端部にフックやアイ等の図示しない連結具が接着や縫着等の手段で取り付けられ、これら前面側の端部に設けられたフックやアイ等の連結具を介して着脱される、所謂"フロントホック"タイプとして構成しても良いし、全く丸編状の筒型であっても良い。
【００３４】
上記左右の主パネル部材８、９を構成する素材としては、例えば、１枚構成の素材が用いられるが、原則として、女性のバスト部分にフィットするストレッチ性を備え、且つモールド成形に順応できる素材であれば、編組織又は織組織、シングル編又はダブル編、リバーシブル編、無地の厚地や薄地、更にレース地等のテクニック素材など、種々の素材を用いることができ、特に限定されるものではない。
【００３５】
また、上記左右の主パネル部材８、９を構成する素材としては、例えば、図２（ｂ）に示すように、表面層１１及び裏面層１２を繋ぐＸ字形状又はＯ字形状の中空糸を有する３
層構造のダブルラッセル等による中間層１３を備えた表裏一体構成の素材が用いられ、当該表裏は機能面、衛生面等から、編組織や組成をデザインする。
【００３６】
さらに、上記左右の主パネル部材８、９を構成する素材としては、例えば、図２（ｃ）に示すように、表地１４と裏地１５を図示しない接着剤層などを介してコーティングした表裏一体構成の素材などを用いるように構成しても良い。
【００３７】
又、上記左右の主パネル部材８、９を構成する素材としては、例えば、図２（ｄ）に示すように、上述したダブルラッセル編み、又は発泡体製の薄いシート部材、あるいは不織布等からなる中間素材１６に、当該製品の目的とする美的、人体衛生学、人体工学、ファッション学的観点からデザインする綿素材や樹脂素材など種々の表面素材１７及び裏面素材１８をコーティングした三層構成の素材を用いるように構成しても良い。
【００３８】
更に、上記左右の主パネル部材８、９を構成する素材としては、例えば、図２（ｅ）に示すように、水溶性の糸を通常の糸と交編し、当該水溶性糸をデザイン的に、人体の補整を必要とする部分１９と必要としない部分２０、又厚味を必要とする部分１９と必要としない部分２０、スキン性を必要とする部分１９と必要としない部分２０等をデザインしてパターン配置し、当該水溶性糸を溶解して、通常糸の部分１９のみを残すように構成した素材を用いても良い。
【００３９】
また、上記左右の主パネル部材８、９を構成する素材としては、例えば、図２（ｆ）に示すように、最も伸張率の高い部分を構成するにふさわしい身頃部４、５を構成する生地２１に、美的且つ人間工学的、補整機能をデザインする捺染型やインクジェットプリント方式等で、当該身頃地２１の伸びを、伸びやすい領域２２から、伸びずらい領域２３から、全く伸びない領域２４までを段階的にデザインした素材などを用いることもできる。
【００４０】
さらに、上記左右の主パネル部材８、９を構成する素材としては、例えば、図２（ｇ）に示すように、成形編方式によって上述した美的且つ人間工学的補整機能をデザインする成形編地を身頃部４、５とする素材２５を用いて良い。この成形編地２５としては、例えば、左右のバストカップ部２、３の体側寄りに位置する領域でもありパーツでもある２６に、成形可能な編地や織地のパーツ２７を配置することにより、当該左右のバストカップ部２、３の体側寄りに位置する領域２６を所定の形状に成形することによって、補正機能を高めることが可能となる。当然のことながら、当該パーツ２６、２７は、パネルの表裏何れに構成されても良い。
【００４１】
また、この実施の形態では、上記左右の主パネル部材８、９を構成する素材としては、全領域にわたって一枚構成とせずに、部分的に裏当て素材を配置して、所望の領域を２枚構成などの複数枚構成とするように構成しても良い。
【００４２】
上記の如く構成されたブラジャー１は、最終工程で、人体の膨出部に対応したバスト部を含む体側部等の必要領域を、同時に熱成型プレスによって三次元的な立体形状に形成される。
【００４３】
この実施の形態にブラジャー１は、前述したように、バストカップ部２、３と身頃体４、５とを一体的に構成した左右の主パネル部材８、９を備えるが、これら左右の主パネル部材８、９には、図５に示すように、左右のバストカップ部２、３のバスト側部２ａ、３ａを一体化するバストカップ裏当て構造とし、且つこのバストカップ裏当て部材２８、２９を一体化させるパターン構成とするように構成しても良い。そして、上記裏当て部材２８、２９の構成によって、ファンデーションとしての機能をアップさせることができるパターン構成となっている。
【００４４】
上記裏当てパターンの構成は、デザイン意図により、ストレッチ性を前提とするか、又はアンストレッチ性を前提とするか、又はこれらを組み合せた複合性を前提とするか、何れのパターンであっても良い。
【００４５】
また、上記裏当て部材２８、２９の構成は、モールド成型時に接着工程を同時に実施するように構成しても良いし、先に左右の主パネル部材８、９の裏面側に裏当て部材２８、２９を接着した後、モールド成型を施すように構成しても良い。
【００４６】
上記ファンデーション機能を高める裏当て部材２８、２９の構成としては、図６（ａ）に示すように、バストカップ部２、３と身頃体４、５とを一体的に構成した左右の主パネル部材８、９を前提とするが、美的又はファッション性、乃至は総体的着用感等を前提に選定された何れかの主パネル部材８、９に、当該主パネル部材８、９を美的乃至は衛生学的且つ人間工学的不足を補完する、図６（ｂ）乃至（ｈ）等の何れかの構成を加える構成が採用される。
【００４７】
上記裏当て部材２８、２９としては、図６（ｂ）に示すように、芯体と３０してファイバーフィル等の綿状体を使用し、表裏３１、３２をトリコット地等でカバーしたシート体からなる裏当て部材が用いられる。
【００４８】
また、上記裏当て部材２８、２９としては、図６（ｃ）に示すように、ダブルラッセル等による中空編組織３３（中間連結糸はＸ字形状又はＯ字形状であることが好ましい）で、且つ表裏３４、３５は、当該製品デザインによって組成並びに組織を（異なる組成、異なる編組織であることが好ましいが、全く同一であっても良い）デザインするシート体からなる裏当て部材を用いるように構成しても良い。
【００４９】
さらに、上記裏当て部材２８、２９としては、図６（ｄ）に示すように、均一な厚さの発泡体製のシート体３６からなる裏当て部材が用いられ、この発泡体製のシート体３６としては、無黄変性、通気性、弾性及び保形性の高いものを用いることが望ましく、表裏又は裏面（人体に直接触れる側）に、必要とする基布をコーティングしたものを用いるように構成しても良い。
【００５０】
又、上記裏当て部材２８、２９としては、図６（ｅ）に示すように、不必要なパッド体３７周辺の切断面３７ａや３７ｂに段差や硬さを生まないように、発泡体をスライスしたパット体３７を、表裏両面に図示しない基布をコーティングしたサンドイッチ構造、又は片面に基布をコーティングした上、一体化した裏当て部材を用いるように構成しても良い。
【００５１】
更に、上記裏当て部材２８、２９としては、図６（ｆ）に示すように、必要な厚味を持った発泡体３８を、必要な形状、例えば、乳頭部３８ａを厚くするか、又は乳房下部を厚くする形状等のようにスライスしたパッド体を、その表裏両面に図示しない基布をコーティングしたサンドイッチ構造の裏当て部材を用いるように構成しても良い。なお、図６（ｆ）等では、発泡体３８の肉厚が極端に厚く図示されている。
【００５２】
また、上記裏当て部材２８、２９としては、図６（ｇ）に示すように、発泡体シート、又はダブルラッセル編製のシート、更には特性の異なる複数枚のシート３９ａ、３９ｂ、３９ｃの積層体３９を必要形状に切断し、必要な厚味を形成させた構成の裏当て部材を用いても良い。
【００５３】
さらに、上記裏当て部材２８、２９としては、図６（ｈ）に示すように、必要な厚味を形成させたものを用い、当該厚み自体を活かすデザイン又は当該厚みを均一化させ弾性を内在化させても良い。この場合には、バストサイド部４０ａからバストを中央部に寄せる効果を発揮することができる。
【００５４】
又、上記裏当て部材２８、２９に使用する発泡体の多くには、黄変の問題があり、出来れば黄変をしないシリコン等の発泡体を選ぶ乃至は、これをカバーする裏地を当該パッド体の露出自体をカバーできる大きさにデザインすることは必要である反面、当該カバーする裏地を構成する場合、ファイバーフィル等の綿状体に対するトリコット等のカバーは、不要とすることもでき、後述するように、体側部から乳房部のトップに向けて、パワー（伸張力）が徐々に弱くなるように構成した、所謂グラデーションのパワーを設定した裏当て素材を用いても良い。
【００５５】
また、この実施の形態では、上記左右の主パネル部材を構成する素材として、表裏二枚構成の身頃体と人体側部から乳房までを含むオーバーバストカップ部に、本実施の形態の基本となる機能芯体をパッド体として挟持したサンドイッチ構造のものを用いても良い。
【００５６】
上記左右の主パネル部材８、９を構成する素材としては、図７に示すように、図７に示す構成を基本とする表裏二枚構成の主パネル部材８、９に、本発明の基本となるバスト側面を一体的に構成するバストカップ体４１を芯体構造としてパターン化した素材を用いるように構成しても良い。
【００５７】
上記左右の主パネル部材８、９を構成する素材の芯体４１としては、体側部から乳頭部に向けたグラデーションパワーを一個の芯体に設けた編み組織、又は肉厚等によって内在させる構成としたものを用いることができる。
【００５８】
上記芯体４１の構成としては、例えば、図８（ａ）に示すように、望ましくは三つのパーツ４２〜４４を基本とし、圧着又は接着により一体化させたパターン構成のものを用いることができる。
【００５９】
また、上記左右の主パネル部材８、９を構成する素材の芯体４１としては、図８（ａ）に示すように、パターン領域４２を補整力大、領域４３を補整力中、領域４４を補整力小に設定したものが用いられるが、当該補正力の意図は、バストを中央に寄せる、バストを寄せて上げる等の目的に応じて、その形状は自由にデザインされるものである。
【００６０】
この実施の形態では、図８に示すように、矢印Ａ方向に向けて乳房を押し上げる効果を高めるように、パターン領域４２〜４４が設定されている。
【００６１】
また、機能性芯体４１の構成としては、三つのパターン領域４２〜４４は、身頃体４、５との関係から、二つのパターン領域を選択するか、又は三つ以上のパターン領域を設定しても良い。また、上記パターン領域４２〜４４を構成する材質は、同一であっても良いし、異なるものを複数組み合わせても良い。
【００６２】
さらに、上記芯体４１の構成としては、図８（ｂ）〜（ｅ）に示すような裏当て部材２８、２９の構成を基本とし、これに上述した主パネル部材８、９と同一素材又は各々が異なる素材を複数組み合わせたものであっても良い。
【００６３】
但し、裏当て部材２８、２９の場合と異なり、芯体４１の内面には、裏地４５が積層されることから、裏当て部材２８、２９のように、芯体４１の肌側に基布をコーティングする必要はない。
【００６４】
図９はこの発明の実施の形態に係る機能である図７の芯体４１を転用したパターン構成をそれぞれ示したものである。
【００６５】
図９は、図１０に示すような製品形状のブラジャー１を形成するパターン構成を示すものである。主パネル部材８、９にパターン領域４６〜４８の機能芯体を構成するパーツ４６〜４９を重合させるように構成したものである。この実施の形態では、裏地としてのパーツ４９をパット体とし、当該パーツ４９の表面側に、レース地からなるパーツ４８と、パーツ４７と、パーツ４６とを重合させるように積層し、接着して立体的に構成したものである。
【００６６】
また、図１１（ａ）は、パターン５０を主パネル部材８、９とし、当該主パネル部材８、９にパターン５０とエッジを同一とするパーツ５１と、それよりも内側にエッジを有するパーツ５２とを重合した状態で接着させるように構成したものである。なお、上記主パネル部材８、９及びパーツ５１には、ショルダーコードを延設しても良い。
【００６７】
さらに、上記パターン５０には、ライン５３に沿って平面状の合成樹脂製のボーン体５４が、当該パターン５０とパーツ５２との間にサンドイッチ状に介在させた状態で内蔵されている。
【００６８】
さらに、図１１（ｂ）は、パターン５０を主パネル部材８、９とし、当該パターン５０のエッジを同一とするパーツ５１と、ライン５３をエッジとするパーツ５２を重合した状態で接着させるように構成し、重合時にライン５３に沿ってボーン用ループ部材５４を内蔵させたものである。
【００６９】
又、図１１（ｃ）は、パターン５０を主パネル部材８、９とし、当該主パネル部材８、９のバスト部側の端縁に沿ってボーンを挿入した玉縁式トリミングテープ体５５を、パーツ５１の重合接着時に、サンドイッチ状に接着するように構成したものである。なお、玉縁式トリミングテープ体５５は、必ずしも接着に限らず、縫着によって固定しても良い。
【００７０】
尚、上記図１１（ａ）〜（ｃ）では、主パネル部材８、９にパッド体を取り付けるように構成しても勿論良い。
【００７１】
更に、図１１（ｄ）に示したものは、完全にショルダー機能を持たない変形パターン５０を主パネル部材８、９とする芯体機能部のみに集約するように構成したもので、外衣や中衣内面に構成ができ、その用途によって、ライン５３に沿ってボーン体を内蔵させるか、又は後述する図１９に示すような芯体構造をデザインすることが好ましい。
【００７２】
このように、上記実施の形態によれば、ブラジャー１のようなファンデーション等の衣料を、製造工程を簡略化して製造することができ、コストダウンが可能であるとともに、必要に応じて補正機能を備えた所望の三次元形状を有するファンデーション等の衣料を製造することが可能となる。
【００７３】
実施の形態２
図１２はこの発明の実施の形態２を示すものであり、前記実施の形態１と同一の部分には同一の符号を付して説明すると、この実施の形態２では、表裏を一体のパターンとせずに、表面側のパターンを大きく設定することにより、製品にギャザー部を形成するように構成されている。
【００７４】
すなわち、この実施の形態２では、図１２に示すように、左右の主パネル部材８、９として、図５に示すものと異なり、表裏を一体のパターンとせずに、裏地２８、２９の原型パターンに対し、表地としての左右の主パネル部材８、９を大きく設定し、表地としての左右の主パネル部材８、９にギャザー６０を意識的に寄せることによって、一体形状とすることによって、デザイン性を高めたものである。
【００７５】
上記ギャザー６０は、バストカップ部２、３に、通常のモールド方式では得られないソフトな感覚を表現することができ、身頃地が大きくソフト性を高める、バストカップつきキャミソール等のランジェリーとの組み合わせに適合するようにしたものである。そのため、上記左右の主パネル部材８、９を構成する素材としては、薄地の素材を用いるのが望ましい。
【００７６】
図１２（ｂ）は、図１２（ａ）の一部断面を示すものであり、表身頃体を構成する主パネル部材８、９は、バストポイントＢに向けギャザー６０が設けられ、概ね当該ギャザー６０部分は盛り上がっている。また、主パネル部材８、９の裏面は、裏地４５によって構成されている。当該テクニックは、膨出成型前に形成させるか、成型後に形成されるかは、当該部材の条件によって選択する。
【００７７】
上記左右の主パネル部材８、９の表地身頃は、図１３に示すように、二重構成であると共に、実線並びに細点線は、本実施の形態のブラジャー１を構成する基本体であり、太点線はこの基本に位置を同等とせず構成されたランジェリー５９である。
【００７８】
このように構成することのメリットは、乳頭部位置の異なる二つのパターンを同時に成形することが可能とする実施例であり、当該ランジェリー乳頭部が同一であっても良いことは当然である。
【００７９】
また、図１４は上記実施の形態２の変形例を示すものである。この図１４は、左右の主パネル部材８、９の表裏何れか、又はパッド体に重合されるバックパーツ６１、６２を示す構成図である。このように構成する目的は、デザイン上、表地８、９のバストカップ部２、３がアンストレッチ性のレース地等で構成され、且つバックパーツ６１、６２にはストレッチ素材を使用する場合などのように、左右の主パネル部材８、９に切り替えしが必要な場合、又は裏側のパッド体の肌側に衛生等を考慮し、綿素材等の吸汗性素材を使用した場合などに、当該吸汗性素材などからなるバックパーツ６１、６２を後身頃まで配置することができるようにするためである。また、左右の主パネル部材８、９の表身頃地をメッシュ等の目荒な素材で構成した場合など、バックパーツ６１、６２を裏当て構造として機能させるためである。
【００８０】
なお、生産性を考慮した場合には、当該パーツ６１、６２にホットメルト加工を施し、パッド体の裁断面のカバーを兼ねた接着方式をとることが望ましい。
【００８１】
その他の構成及び作用は、前記実施の形態１と同様であるので、その説明を省略する。
【００８２】
実施の形態３
図１５はこの発明の実施の形態３を示すものであり、前記実施の形態１と同一の部分には同一の符号を付して説明すると、この実施の形態３では、図１５に示すように、左右の主パネル部材８、９に、所定の幅を持って且つ両端が仕上げられた編みレースやエンブロイダリーレース等のレース地６３や、プリントやジョーゼット状編地、更にはメッシュ地等の広幅地を接着するとともに、その両端を刺繍やレーザーカット等によって必要な丈に仕上げられた素材に、前述した実施の形態１を適用するように構成したものである。
【００８３】
図１６（ａ）は、上記所定の幅を持って仕上げられたレース地６３等を主パネル部材８、９として用い、ブラジャー１を構成したものである。
【００８４】
図１６（ｂ）は、更に応用実施例として、図１６（ｄ）に示すような付属部品６４をもって、左右の主パネル部材８、９の中央部側の先端を、フロント中心に引き寄せることにより、バストを中心に引き寄せる機能を付加したものである。
【００８５】
図１６（ｃ）は、更にファデーション等の衣料としてショーツに応用した例であり、図１６（ｂ）の機能をヒップ部に転用するものである。なお、ヒップ輪郭を波状に構成されたパターンをデザインした上、モールド成形を施すことによって、ヒップ部を立体的に加工したものである。
【００８６】
更に説明すると、これらの図１６（ａ）（ｂ）に示した応用例では、人体のバストやヒップ部等の膨出部に対して、これらバストやヒップ部等の膨出部を中央部に寄せる効果やアップさせる効果などの三次元的な効果を更に高めるために、人体の体側部から人体の中央部に引き寄せる力を作用させるように構成されている。
【００８７】
そのため、図１６（ｂ）に示すブラジャー１では、左右の主パネル部材８、９の中央部に位置する部分を互いに縫着するのではなく、対向する部分に向けて長く形成し、当該左右の主パネル部材８、９の中央部に位置する延長部分を、図１６（ｄ）に示すような補助金具６４を用いて、締結位置を調節可能なように互いに連結したものである。上記補助金具は、縦方向の連結部を介して互いに連結された二重の環状部材からなり、左右の主パネル部材８、９の延長部分を、二重環状部材の内側に位置する環状部材６４に、内側から挿通するとともに、当該左右の主パネル部材８、９の延長部分を折り替えして、外側に位置する環状部材の下を挿通することにより、締結位置が調節可能となっており、左右の主パネル部材８、９の延長部分が中央部に引き寄せられるように締結することで、左右の主パネル部材８、９のバストカップ部２、３によって、バストを中央に引き寄せる効果を発揮している。
【００８８】
また、図１６（ｃ）は、同様の原理をガードルに適用したものであり、女性のウエスト部に位置する左右の主パネル部材８、９の中央部に位置する部分を互いに縫着するのではなく、対向する部分に向けて長く形成し、当該左右の主パネル部材８、９の中央部に位置する延長部分を、図１４（ｄ）に示すような補助金具６４を用いて、締結位置を調節可能なように互いに連結したものである。
【００８９】
さらに、図１７は、図１５に示すレース地６３等として丈の長いものを使用し、ファデーション等の衣料としてスリップ６５に応用した例である。
【００９０】
その他の構成及び作用は、前記実施の形態１と同様であるので、その説明を省略する。
【００９１】
実施の形態４
図１８はこの発明の実施の形態４を示すものであり、前記実施の形態１と同一の部分には同一の符号を付して説明すると、この実施の形態４では、図１８に示すように、左右の主パネル部材８、９の内面側に、立体的な補正機能を付加するパッド体７０を配置し、更には、パッド体７０に補正機能をより一層向上させるボーン体７１を内蔵させるように構成したり、樹脂製の平面体ボーン７１を、図１８（ｃ）に示すように、パッド体７０の表側にセットして、主パネル部材８、９の内面側に接合するか、又はパッド体７０を二重構造としてサンドイッチ状に構成し、最終工程である三次元モールド成形工程において、これらを一体的に三次元化させるように構成したものである。
【００９２】
但し、事前に立体化させることが必要となる金属製のボーン体７３を使用した場合には、図１８（ｄ）に示すように、金属製のボーン体７３を収納するためのチューブ体７２をパッド体７０に内蔵させておき、三次元モールド成型した後に、収納用チューブ体７２の内部に金属製の三次元ボーン体７３を挿入することによって、一体的に三次元化される。
【００９３】
上述した図１８を基本形状を形成する左右の主パネル部材８、９に、パッド体７０にボーン体７１を内蔵させる既存の面構造の線状体に対し、三次元モールドの機能を最大限に生かすことができる新たな芯体ボーン７３（パッド体７０を構成する基布に最も同化する）を提供することができる。
【００９４】
この基本的な構成は、図１８に示すパッド体７０を前提とし、図１９（ａ）に示すように、当該パッド体７０の内面に、パッド体７０に極力同化する範囲内で、より保形性と弾性に富む、ポリエステルやポリプロピレン等からなる薄いフィルム体７４を、例えば、乳房を手で持って支える形状にデザインするように内蔵させたものに応用することができる。
【００９５】
また、図１９（ｂ）は、上記フィルム体７４をより人体に対して違和感を与えずに機能を強化させるために、当該フィルム体７４を３枚のフィルム体７４ａ〜７４ｃを重ねた三重構造方式、又は射出成型方式により外輪を弱く且つ中核はより剛性を高めて強くするように、鳥に羽のように構成したものである。
【００９６】
さらに、図１９（ｃ）及び（ｄ）は、熱硬化後に弾性を発揮する弾力性のある合成樹脂７５を、本実施の形態の三次元機能を高めるように線状又はドット状に配置し、並びに実線から太い点線、あるいは高密度から低密度の部分のように、物理的に剛性をデザインし、捺染方式又はインクジェット方式で熱硬化性の樹脂７５をプリントした後に、硬化させるように構成したものである。
【００９７】
このような効果を発揮させるためには、パッド体７０は、伸縮性のある素材であることが望ましいと同時に、熱硬化性樹脂７５を人体の側面を押さえる形状に配置するのが望ましい。
【００９８】
その他の構成及び作用は、前記実施の形態１と同様であるので、その説明を省略する。
【００９９】
実施の形態５
図２０はこの発明の実施の形態５を示すものである。
【０１００】
図２０はこの発明をファンデーション等の衣料としてのガードルに適用したものである  。
【０１０１】
上記ガードル８０などのファンデーション等の衣料は、モールド成型によって所定の  立体形状に仕上げることを基本とし、しかもより自然なラインを創造させることが重要  である。そのため、現状では、製品の仕上げ部をミシン加工による縫着から、接着プラ  ス超音波やレーザーによるカット工程によって製造する技術が採用されてきており、製  品のエッジ部をよりシンプルに構成する方向が指向されている。
【０１０２】
これに対して、従来のガードルなどのファンデーション等の衣料においては、重要な  仕上げ部分であるエッジ部と、人体をホールドする部分との区別が全く考慮されていな  い。
【０１０３】
そこで、この実施の形態では、図２１に示すように、フリーであるべきエッジ部分の  仕上げを二つ折りとし、人体に対する抵抗をより少なくすると共に、エッジ部分に切断  面が位置しないように構成することより、強度を維持するように構成したものである。  
【０１０４】
この実施の形態では、図２０に示すように、ガードル８０の着用者の太腿に接触する  製品エッジ部分である左右のサイ部８１、８２を二つ折り構成とし、この二つ折り構成  の折り曲げ部８３が、着用者の太腿に接触する位置にくるように配設されている。この  製品エッジ部分であるサイ部８１、８２は、人体衛生上緊迫を与えることは好ましくな  く、又、ファッション上は、アウターに極力響かないことが求められている部位である  。
【０１０５】
上記の如く構成されたサイ部を、人体の腹部から股部を通り背面部に到る身頃部と一  体的に縫着することによって、着用者の太腿に接触する製品エッジ部分には、二つ折り  構成の折り曲げ部が位置することになる。
【０１０６】
二次元パターンによって得られる上記ガードル等は、当然、そのままでは三次元的「  寄せるという力線」を付加することは出来ないのであって、図２（ｇ）に示す構成を基  本とする本発明の体側部を基本とするモールド方式を必要とするものである。但し、ガ  ードル等の被モールド成型体は、フックとアイ等がなく原則筒形状であることから、当  該モールド受動金型は、少なくとも被モールド成型体を受け入れられるよう筒状である  必要性を有する。
【０１０７】
なお、その他の構成及び作用は、前記実施の形態１と同様であるので、その説明を省  略する。
【０１０８】
実施の形態６
図２２乃至図２６はこの発明の実施の形態６を示すものである。
【０１０９】
図２２（ａ）に示したブラジャー１は、左右の主パネル部材８、９の上端縁の全長に  沿って、ワイヤー状のボーン体８５を逆Ｖ字状に配設したものであり、当該ボーン体８  ５によって左右の主パネル部材８、９のバストカップ部２、３・チェスト部を歪めない  よう制御することが可能となる。また、左右のショルダーコード６、７としては、幅の  広いテープ状のものを用い、しかも当該幅広の左右のショルダーコード６、７を左右の  バストカップ部２、３の表面側に、左右のバストカップ部２、３の下端縁まで延長した  デザインであるが、従来このようなテープ体をデザインした場合、バストの形状は、通  常犠牲にしてしまうが、このような構成においても本発明が基本とする機能を発揮する  ことのできる実施の形態である。
【０１１０】
また、図２２（ｂ）に示したブラジャー１は、ブラジャー本体の周囲を構成する右バ  ストカップ並びにその身頃体と、ブラジャー本体の周囲を構成する左カップ並びにその  身頃体の独立二重構造からなるブラジャーであり、当該外囲と内囲はフロントスナップ  によって連動され、且つ当該スナップの移動によって乳間を調整可能とするものである  が、これに本発明の図２（ｇ）を基本に図７に示す芯体を構成し、左右の主パネル部材  ８、９の身頃部４、５からバストカップ部２、３に向けて、フィルム状のボーン体７４  を配設することによって、左右の主パネル部材８、９によってバストを寄せる機能を更  に高めるように構成されている。
【０１１１】
また、上記フィルム状のボーン体７４の代わりに、図２２（ｃ）に示すように、羽毛  状のボーン体８６を配設しても良い。
【０１１２】
さらに、図２３（ａ）に示したブラジャー１は、左右の主パネル部材８、９の下端縁  をチェスト部まで延長するとともに、左右の主パネル部材８、９のバストカップ部２、  ３及びチェスト部８７、８８の内側に、細長い平板状のボーン体８９を縦方向に沿って  配設し、バスト部を下方から支持してバストアップさせる効果と、チェスト部８７、８  ８を押えてより一層バスト部をアップさせる効果とを奏するように構成したものである  。
【０１１３】
又、図２３（ｂ）は、乳房体側部を根とする超密度ポリエチレンフィルム等からなる  バストトップ近傍までをサポートする細幅状のフィルムボーンであり、当該フィルムは  体側部から乳頭近傍に近づけるほどソフト性と柔軟性を持たせ、図２２（ｃ）に示した  羽毛状のボーンと同様の機能を持たせたものである。
【０１１４】
加えて、図２３（ｃ）に示したブラジャー１は、少なくとも本発明の三次元形状であ  るバストトップ位置を乳房基底の少なくとも三分の一前後以内とし、且つ当該トップ角  度は乳房基底中心から当該トップを結ぶ、着用時の人体中心と並行する前面直線状であ  り、且つ乳房形状は、乳頭から人体中心側には乳房容積を受け入れ且つ美しさを損なわ  ない球面状を形成させ、乳頭から体側部に沿う乳房形状は、直線的乃至は幾分凹面状に  形成させ、且つこれを結ぶ乳房下部並びに上部形状は、人体中心側から扇状、球状、か  まぼこ状、直線状、半凹状（半球体を体側部側から押した形）などに変化する基本外形  を前提にして、乳頭をセンターとする同芯円状又は螺旋状に熱硬化性樹脂７５を塗布す  ることによってボーン体としての機能を果すように構成したものである。
【０１１５】
更に、図２４（ａ）に示したブラジャー１は、左右の主パネル部材８、９のバストカ  ップ部の表面側にストレッチ性を有するダブルラッセル編みによる編地９０を配置し、  当該ダブルラッセル編みのバストカップ部２、３のバスト輪郭端縁を含む仕上げ全体に  、玉縁式のストレッチトリミングテープ９１を配設して一体化した上、当該バスト輪郭  端縁にワイヤーボーン乃至は弾性と形状記憶能力を持った樹脂等による線状ボーンを内  蔵することのできる実施例である。
【０１１６】
上述した三次元による乳房形状は、原則として、三次元のヒップ形状にも当てはまる  。ただし、日本人の臀部容積は、一般的にまだ体側部側が不足していることから、乳房  ほど寄せる機能は必要が無く、寧ろ支え上げる機能が必要であり、臀部下辺を凹状にす  ることが望ましい。
【０１１７】
なお、上記左右の主パネル部材８、９のバストカップ部２、３の表面側に配設する生  地９０としては、図２４（ｂ）に示すように、ステッチレース等からなるアンシンメト  リー模様の生地９２を使用しても良い。
【０１１８】
さらに、図２５（ａ）に示すように、左右のショルダーコード６、７と左右の主パネ  ル部材８、９との連結部にリング状部材９３を使用したり、図２５（ｂ）に示すように  、バストカップ部２、３の体側寄りの部分を、パワーを伸張率が高い部分９３と、中程  度の部分９４と、弱い部分９５とに、三段階等の複数段階となるように設定しても良い  。
【０１１９】
また、図２６（ａ）（ｂ）に示すボデイスーツ１００のように、生地のパワーを伸張  率が高い部分と、中程度の部分と、弱い部分のように、三段階等の複数段階となるよう  に設定することによって、補正機能を更に高めることが可能となる。
【０１２０】
なお、図２７乃至図３０は本発明の更なる他の実施の形態をそれぞれ示すものである  。
【符号の説明】
【０１２１】
１：ブラジャー（ファンデーション等の衣料）、２、３：左右のバストカップ部（第  一のパネル）、４、５：左右の身頃部（第二、第三のパネル）、８、９：左右の主パネ  ル部材。
【図１】
2014058771.tif 000003
【図２】
2014058771.tif 000004
【図３】
2014058771.tif 000005
【図４】
2014058771.tif 000006
【図５】
2014058771.tif 000007
【図６】
2014058771.tif 000008
【図７】
2014058771.tif 000009
【図８】
2014058771.tif 000010
【図９】
2014058771.tif 000011
【図１０】
2014058771.tif 000012
【図１１】
2014058771.tif 000013
【図１２】
2014058771.tif 000014
【図１３】
2014058771.tif 000015
【図１４】
2014058771.tif 000016
【図１５】
2014058771.tif 000017
【図１６】
2014058771.tif 000018
【図１７】
2014058771.tif 000019
【図１８】
2014058771.tif 000020
【図１９】
2014058771.tif 000021
【図２０】
2014058771.tif 000022
【図２１】
2014058771.tif 000023
【図２２】
2014058771.tif 000024
【図２３】
2014058771.tif 000025
【図２４】
2014058771.tif 000026
【図２５】
2014058771.tif 000027
【図２６】
2014058771.tif 000028
【図２７】
2014058771.tif 000029
【図２８】
2014058771.tif 000030
【図２９】
2014058771.tif 000031
【図３０】
2014058771.tif 000032